(57)【要約】【課題】便器下方とトイレ床面間の清掃性に優れた壁掛け便器を提供する。【解決手段】壁掛け便器本体と、壁掛け便器本体の底部をトイレ床面と所定間隔隔てて便器底部とトイレ床面との間に清掃用空間を形成するための便器取付け部を備えた固定フレームと、固定フレームを略垂直に支持するベース板と、を有し、ベース板は、固定フレームに対して前記壁掛け便器本体の先端方向に向かって延出し、かつトイレ床面の少なくとも一部をなしている。【選択図】図１
2008267128.tif 000002
【特許請求の範囲】
【請求項１】
壁掛け便器本体と、
前記壁掛け便器本体の底部をトイレ床面と所定間隔隔てて当該便器底部とトイレ床面との間に清掃用空間を形成するための便器取付け部を備えた固定フレームと、
前記固定フレームを略垂直に支持するベース板と、を有し、
前記ベース板は、前記固定フレームに対して前記壁掛け便器本体の先端方向に向かって延出し、かつトイレ床面の少なくとも一部をなしていることを特徴とする壁掛け便器。
【請求項２】
前記ベース板は、前記壁掛け便器をトイレに設置した状態で前記固定フレームの基端部からトイレ室内側の方がトイレ後壁側よりも長く延在した長板状のベース板からなることを特徴とする、請求項１に記載の壁掛け便器。
【請求項３】
前記ベース板は、前記壁掛け便器が設置されるトイレ室内の床面全体とほぼ同等の大きさを有することを特徴とする、請求項１に記載の壁掛け便器。
【請求項４】
前記ベース板は、その一端が前記固定フレームの基端部から前記便器の前方近傍まで延びていることを特徴とする、請求項２に記載の壁掛け便器。
【請求項５】
壁掛け便器本体と、
前記壁掛け便器本体の底部をトイレ床面と所定間隔隔てて当該便器底部とトイレ床面との間に清掃用空間を形成するための便器取付け部を備えた固定フレームと、
前記固定フレームを略垂直に支持するベース板と、を有し、
前記固定フレームは、前記ベース板上に配設される左右の固定フレームと、前記左右の固定フレームをトイレ床面の排水用開口部をはさんだ状態で室内側で接合配置することを特徴とする請求項1乃至請求項４の何れかに記載の壁掛け便器。
【発明の詳細な説明】
【技術分野】
【０００１】
本発明は、壁掛け便器に関する。
【背景技術】
【０００２】
トイレ内に壁掛け便器を設置することで便器とトイレ床面との間の空間を確保し、従前の床へ便器を設置するトイレに比べ清掃性を向上させることが従来から行われている（例えば、特許文献１参照）。ここで、特許文献１に開示された壁掛け便器は、トイレ壁において室内壁面と外壁面間に空間が形成されてその空間内に洗浄水を溜める洗浄タンクが隠蔽された状態で内蔵されている。そして、この洗浄タンクは、その下部に設けられた配管フレームの上面フレーム上に設置されている。また、配管フレームは、縦フレームの下端に建物の床の躯体に接する長さの短い固定用の補強フレームを備えている。
【特許文献１】特開２００３−９６８８５号公報（２頁、図１）
【発明の開示】
【発明が解決しようとする課題】
【０００３】
上述した特許文献１に記載の壁掛け便器では、躯体に接する補強用フレームの長さが便器の先端まで達しない短い構造となっている。そのため、使用者が便座に座ったときにフレームに生じる曲げモーメントによるフレームの躯体からの乖離を防止するために、補強用フレームを躯体にボルト等でしっかりと固定する必要がある。
【０００４】
しかしながら、このようなボルト締めを必要とする構成では、そもそも上述のような長さの短い補強用フレームを躯体にボルト締めして固定した場合、使用者が便器に着座する際に生ずる曲げモーメントによるフレームの躯体からの乖離を防止するために便器使用時に補強用フレームに作用する曲げモーメントに対して躯体が有するボルトの引き抜き強度で耐えなければならない。
【０００５】
また、このような長さの短い補強用フレームを躯体にボルト締めする場合、トイレ床面の見栄え上、このボルトを完全に隠すためにトイレ床面をその分だけ高くしなければならない。そのため、トイレ出入り口に不要な段差が生じてしまい、住宅内のバリアフリー化の要請に反する。
【０００６】
一方、このようなトイレ出入り口の段差を極力小さくしようとすると、この従来例における壁掛け便器の場合、トイレ床面の便器下方にボルトの頭が突出してしまい、トイレ床面の見栄えが悪くなるばかりか、便器とトイレ床面との間の清掃性を低下させてしまう。また、このようなボルトの頭をキャップ等で隠す特別な措置を施さなければならない。
【０００７】
本発明の目的は、施工性に優れると共に便器下方とトイレ床面間の清掃性に優れた壁掛け便器を提供することにある。
【課題を解決するための手段】
【０００８】
上述した課題を解決するために、本発明に係る壁掛け便器は、
壁掛け便器本体と、
前記壁掛け便器本体の底部をトイレ床面と所定間隔隔てて当該便器底部とトイレ床面との間に清掃用空間を形成するための便器取付け部を備えた固定フレームと、
前記固定フレームを略垂直に支持するベース板と、を有し、
前記ベース板は、前記固定フレームに対して前記壁掛け便器本体の先端方向に向かって延出し、かつトイレ床面の少なくとも一部をなしていることを特徴としている。
【０００９】
従来例のように壁掛け便器が便器を支持する垂直フレームとこの垂直フレームの下端に床に沿って延在する僅かな長さの補強用フレームを備え、この補強用フレームを介して便器の前倒れを防止するような壁掛け便器では、使用者が便器に着座する際に生ずる曲げモーメントによるフレームの躯体からの乖離を防止するためにこの僅かな長さの補強用フレームをボルトなどの締結具で躯体にしっかりと取付ける必要がある。
【００１０】
そして、便器使用時にはこのボルトが抜ける方向に取付け用フレームに曲げモーメントが発生する。そのため、このような長さの短い補強用フレームを躯体にボルト締めして固定した場合、使用者が便器に着座する際に生ずる曲げモーメントによるフレームの躯体からの乖離を防止するために便器使用時に補強用フレームに作用する曲げモーメントに対して躯体が有するボルトの引き抜き強度で耐えなければならない。
【００１１】
一方、補強用フレームを躯体にボルト締めして取り付けた場合、トイレ床面を低くするとボルトの頭がトイレ床面に突出してしまい、トイレ床面の見栄えが悪くなったりトイレの便器と床面との間の清掃性が低下したりする。また、キャップ等によりボルトの頭を隠す特別な処置を施す必要もある。
【００１２】
また、このようなボルトをトイレ床面から突出させないようにするためにはその分トイレ床面を高くしなければならず、結果的にトイレ出入り口の段差が大きくなってしまい、住宅内のバリアフリー化の要請に反して好ましくない。
【００１３】
ところが、本発明のような壁掛け便器とすることにより、固定フレームを支持するベース板がトイレ床面の少なくとも一部をなすようになるので、上述したような補強フレームをボルトで躯体にしっかりと固定する必要が無くなり、便器使用時に補強用フレームに作用する曲げモーメントに対して躯体が有するボルトの引き抜き強度で耐える必要はなく、この壁掛け便器をトイレに容易に設置することができる。
【００１４】
また、この壁掛け便器を設置したときにトイレ床面を高くすることなくボルトの頭の突出していないトイレ床面とすることができる。その結果、トイレ出入り口の段差をなくすか最小限に抑え、かつ壁掛け便器が本来有する便器下側とトイレ床面との清掃作業の容易性を十分発揮することができる。
【００１５】
また、本発明の請求項２に記載の壁掛け便器は、請求項１に記載の壁掛け便器において、
前記ベース板は、前記壁掛け便器をトイレに設置した状態で前記固定フレームの基端部からトイレ室内側の方がトイレ後壁側よりも長く延在した長板状のベース板からなることを特徴としている。
【００１６】
ベース板の形状がこのようにトイレ室内側に長くなっていることで、便器に使用者が着座した際、使用者の重さをベース板全面で受けることができ、ベース板を取り付けるボルトを無理に引き抜こうとする大きな曲げモーメントがベース板に発生しなくなる。その結果、どのようなトイレにも施工可能な壁掛け便器とすることができる。
【００１７】
また、本発明の請求項３に記載の壁掛け便器は、請求項１に記載の壁掛け便器において、
前記ベース板は、前記壁掛け便器が設置されるトイレ室内の床面全体とほぼ同等の大きさを有する補強層からなることを特徴としている。
【００１８】
トイレ床面の床基礎部をなす躯体にこの補強層を載せるだけでベース板全体がトイレ床面を構成するようになるので、この躯体と補強層との間の段差を埋める余分な施工を必要としない。
【００１９】
また、本発明の請求項４に記載の壁掛け便器は、請求項２に記載の壁掛け便器において、
前記ベース板は、その一端が前記固定フレームの基端部から前記便器の前方近傍まで延びていることを特徴としている。
【００２０】
ベース板をこのような床面の一部とすることで、トイレ床面の基礎をなす躯体の状態の影響を殆ど受けることなくベース板の水平度を出し易くなり、これによって便器の姿勢を適正に保つことができる。
【００２１】
また、本発明の請求項５に記載の壁掛け便器は、請求項１乃至請求項４の何れかに記載の壁掛け便器において、
壁掛け便器本体と、
前記壁掛け便器本体の底部をトイレ床面と所定間隔隔てて当該便器底部とトイレ床面との間に清掃用空間を形成するための便器取付け部を備えた固定フレームと、
前記固定フレームを略垂直に支持するベース板と、を有し、
前記固定フレームは、前記ベース板上に配設される左右の固定フレームと、前記左右の固定フレームをトイレ床面の排水用開口部をはさんだ状態で室内側で接合配置することを特徴としている。
【００２２】
このような壁掛け便器によると、２本の固定フレームのベース板側端部を接続する固定用連結部のベース板間の連結部分が壁掛け便器の設置状態で床側排水管よりも便器本体の先端側に位置するので、床側排水管がトイレ床面の排水用開口部からベース板よりも上方に立ち上がっていても、固定フレーム下端部の取付け用連結部をベース板上でスライドさせて固定フレームをベース板上の適所に配置して固定することができる。そのため、トイレルームへの壁掛け便器の施工性が格段に向上する。
【発明の効果】
【００２３】
本発明によると、施工性に優れると共に便器下方とトイレ床面間の清掃性に優れた壁掛け便器を提供することができる。
【００２４】
より具体的には、従来例のように壁掛け便器が便器を支持する垂直フレームとこの垂直フレームの下端に床に沿って延在する僅かな長さの補強用フレームを備え、この補強用フレームを介して便器の前倒れを防止するような壁掛け便器では、使用者が便器に着座する際に生ずる曲げモーメントによるフレームの躯体からの乖離を防止するためにこの僅かな長さの補強用フレームをボルトなどの締結具で躯体にしっかりと取付ける必要がある。
【００２５】
そして、便器使用時にはこのボルトが抜ける方向に取付け用フレームに曲げモーメントが発生する。そのため、このような長さの短い補強用フレームを躯体にボルト締めして固定した場合、使用者が便器に着座する際に生ずる曲げモーメントによるフレームの躯体からの乖離を防止するために便器使用時に補強用フレームに作用する曲げモーメントに対して躯体が有するボルトの引き抜き強度で耐えなければならない。
【００２６】
一方、補強用フレームを躯体にボルト締めして取り付けた場合、トイレ床面を低くするとボルトの頭がトイレ床面に突出してしまい、トイレ床面の見栄えが悪くなったりトイレの便器と床面との間の清掃性が低下したりする。また、キャップ等によりボルトの頭を隠す特別な処置を施す必要もある。
【００２７】
また、このようなボルトをトイレ床面から突出させないようにするためにはその分トイレ床面を高くしなければならず、結果的にトイレ出入り口の段差が大きくなってしまい、住宅内のバリアフリー化の要請に反して好ましくない。
【００２８】
ところが、本発明のような壁掛け便器とすることにより、固定フレームを支持するベース板がトイレ床面の少なくとも一部をなすようになるので、上述したような補強フレームをボルトで躯体にしっかりと固定する必要が無くなり、便器使用時に補強用フレームに作用する曲げモーメントに対して躯体が有するボルトの引き抜き強度で耐える必要はなく、この壁掛け便器をトイレに容易に設置することができる。
【００２９】
また、この壁掛け便器を設置したときにトイレ床面を高くすることなくボルトの頭の突出していないトイレ床面とすることができる。その結果、トイレ出入り口の段差をなくすか最小限に抑え、かつ壁掛け便器が本来有する便器下側とトイレ床面との清掃作業の容易性を十分発揮することができる。
【発明を実施するための最良の形態】
【００３０】
以下、本発明の一実施形態に係る壁掛け便器について図面に基づいて説明する。図１は、本発明の一実施形態に係る壁掛け便器を示す全体斜視図であり、図２は図１に示した壁掛け便器が適用されるトイレの床基礎部の構造を示す斜視図であり、図３は図１に示した壁掛け便器のトイレの床への取付け状態をトイレブースと共に示す側面図である。
【００３１】
なお、以下の一実施形態においてトイレ床面は、例えば木造住宅の場合、２本の平行な大引きとこの大引きの上に所定間隔隔てて大引きと直交して設けられた根太とこの上に取付けられた耐水合板とからなる床基礎部の上に載せられる部分をいい、耐水合板の上面全体に載せられるベース板と、ベース板の上面全体に貼られる化粧板から構成されている。
【００３２】
また、以下の一実施形態の各変形例においてトイレ床面は、例えば木造住宅の場合、２本の平行な大引きとこの大引き上に所定間隔隔てて大引きと直交して設けられた根太とこの上に取付けられた耐水合板とからなる床基礎部の上に載せられる部分をいい、耐水合板上に載せられるベース板と、耐水合板上であって上面がベース板の上面と面一となるようにベース板の周囲に配置されるパネルと、ベース板とパネルの上面に貼られる化粧板から構成されている。
【００３３】
なお、図１においては本発明の理解の容易化を図るために、便器を一部破断して示すと共に、便器に載置された便座、ロータンクや、伸縮自在な排水管、及びこの排水管を覆う蛇腹管を省略して示している。
【００３４】
本発明の一実施形態に係る壁掛け便器１は、木造住宅に設置されるタイプのもので、図１に示すように、便器１０と、トイレ床面Ｆをなす補強層からなるベース板２０と、ベース板２０に垂設された便器取付けフレーム３０とを有している。
【００３５】
本発明の一実施形態に係る壁掛け便器１は、昇降式壁掛け便器であるが、このような昇降式壁掛け便器ではなくフレームの所定の高さに便器が固定設置され、便器底部と床面との間に一定の清掃用空間が確保された固定式壁掛け便器であっても良い。
【００３６】
一方、便器１０を支持する便器取付けフレーム３０は、本実施形態では便器１０がトイレの床面全体をなすベース板２０に対して所定間隔を保って対向配置させるように便器１０を支持している。この便器取付けフレーム３０は、互いに所定間隔隔ててベース板２０から垂直に立設した２本の固定フレーム３１と、この２本の固定フレーム３１に沿って上下にスライド可能な可動フレーム３２を備えている。可動フレーム３２は固定フレーム３１に沿ってスライドする２本のスライド部３２ａとこの２本のスライド部３２ａを連結する２本の連結部３２ｂからなり、それぞれの連結部３２ｂに上述した便器１０のスタッドボルト１４が挿通されて図示しないネジ等で可動フレーム３２に便器１０がしっかりと固定されている。即ち、可動フレーム３２は便器取付け部としての役目を果たしている。そして、便器１０とベース板２０との間で所定の清掃用空間が形成されている。
【００３７】
便器１０は便器底部１１がトイレ床面Ｆに接しない構造の一般的な陶器からなる壁掛け便器であり、便器上面１２には図３に示すような局所洗浄便座４０が取付けられてこの部分が着座部を形成している。また、便器背面１３には可動フレーム３２に取付けられるためのスタッドボルト１４が本実施形態では便器背面１３の後方に３本延在し、ここでは詳細には示さないナット等の締結具で便器取付けフレーム３０の可動フレーム３２に取付けられている。
【００３８】
また、便器背面１３には汚物排出孔１５が形成され、図１では詳細に示さない伸縮自在なテレスコタイプの排水管が接続され、この排水管は、トイレ床面の排水用開口部を通ってトイレ下方の排水管に接続されている。
【００３９】
また、便器１０は、図３に示すロータンク５０を介して便器自体の洗浄を行うようになっている。なお、図１の便器１０は一部が切り欠かれて便器内部が見える状態で示されており、図３における便器１０は便器上面に局所洗浄便座４０を乗せた状態を示している。
【００４０】
可動フレーム３２の上端にはロータンク（図３参照）５０を載せる載置部３２ｃが設けられ、図１では図示しない便器洗浄用のロータンク５０がこの上に載置されるようになっている。
【００４１】
固定フレーム３１の下方部分には、ＤＣモータなどのモータ６１が配置され、可動フレーム３２の一部にはこのモータ６１で駆動され伸縮自在に延在する例えばボールネジからなる伸縮シャフト６２の端部が結合されている。そして、トイレの使用者や清掃者がトイレに備わった昇降スイッチ８０（図３参照）を操作することでモータ６１の駆動力を介して可動フレーム３２を固定フレーム３１に対して所定量だけ昇降させるようになっている。
【００４２】
固定フレーム３１の上端には、図３に示すように便器取付けフレーム３０をトイレ壁面に固定するためのブラケット３５が便器後方に向かって延在しており、ネジ等の締結具でこれらブラケット３５の端面３５ａをトイレの壁面に押し当て、便器取付けフレーム３０の上端をトイレの壁面にしっかりと固定するようになっている。
【００４３】
固定フレーム３１の下端は、図１に示すように、底部が平坦な鋼板からなり両側部に折れ曲がった立ち上げ部を有する取付け板３６を介してベース板２０に固定されている。なお、この固定に際しては、図示しないボルト等の締結具を用いても良く、溶接によって固定しても良い。
【００４４】
これらの取付け板３６は、トイレの床基礎部をなす耐水合板２３０に取付けたベース板上で該取付け板の底部をスライドさせながら所定の取付け位置まで案内してボルト等の締結具を介して固定フレーム３１をベース板２０に固定するようになっている。このようなベース板２０及び取付け板３６が鋼板でできておりかつベース板２０の上面と取付け板３６の下面が平坦面として形成されていることで摩擦抵抗が少なくスライドが容易で位置決めがし易いというメリットがある。
【００４５】
また、便器１０の汚物排出孔１５に一端が接続した伸縮自在なテレスコタイプの排水管（図５における排水管７０に相当）は例えばゴムでできた蛇腹管（図５における蛇腹管７１に相当）で覆われてその排水管の伸縮時に排水管から漏れ出る臭気がトイレ内に拡散するのを防止している。
【００４６】
なお、図１は可動フレーム３２及びこれに取付けられた便器１０が固定フレーム３１の上端に位置するようにモータ６１を駆動制御した状態を示し、図３は可動フレーム３２及びこれに取付けられた便器１０が固定フレーム３１の下端に位置するようにモータ６１を駆動制御した状態を示している。
【００４７】
固定フレーム３１を支持するベース板２０は、厚さ９ｍｍの鋼板でできており、トイレ床面全体を覆うように形成すれば補強層としての役割を果たすことも可能になる。この場合は、ベース板２０の全体寸法は図３に示すようにトイレブースに合致する寸法を有している。そして、ベース板２０は、トイレブース内の後述する床基礎部２００と一体となってトイレブースの床面の全部をなすようになっている。
【００４８】
本実施形態における木造住宅の床側の躯体をなす床基礎部２００は、図２に示すようにトイレ室内の長手方向に両端に延在する例えば９０ｍｍ角以上でピッチ９００ｍｍ以内の縦長の大引き２１０及びこの大引き上に交差して所定間隔隔てて載った４５ｍｍ角以上でピッチ３００ｍｍ以内の根太２２０とその上を全体的に覆った例えば厚さ１２ｍｍ以上の耐水合板２３０からできている。
【００４９】
なお、ベース板２０の上には、ここでは詳細に示さない例えば厚さ１．８ｍｍの仕上げ材としての化粧板が全面に貼られており、トイレ床面としての美観を確保すると共に、清掃性を向上させている。
【００５０】
このように本実施形態では補強層としてのベース板２０がトイレブースの床基礎部２００と同一の大きさを有することで、ベース板２０とトイレの床基礎部をなす耐水合板２３０との段差を埋める特別な処理が不要となる。
【００５１】
続いて、上述した実施形態の作用を壁掛け便器のトイレへ施工した場合の作用を説明する。本実施形態では、壁掛け便器がこのような構造になっていることで施工性に優れている。この理由は、固定フレーム３１を支持するベース板２０がトイレ床面をなしているので、従来のような長さの短い補強フレームをボルトで躯体にしっかりと固定する必要が無くなり、便器使用時に補強用フレームに作用する曲げモーメントに対して躯体が有するボルトの引き抜き強度で耐える必要はなく、この壁掛け便器をトイレに容易に設置することができる。
【００５２】
即ち、本実施形態の壁掛け便器は、従来の壁掛け便器に必要とされる特別な要件がいらず、簡単な施工で設置できる。
【００５３】
また、施工性の更なる優位な点として、ベース板２０及び取付け板３６が鋼板でできておりかつベース板２０の上面及び取付け板３６の下面が平坦面として形成されていることでこれらの間の摩擦抵抗が少なくなり、取付け板３６のベース板上におけるスライドが容易で固定フレーム３１をベース板上に位置決めし易い点が挙げられる。
【００５４】
即ち、ベース板２０が平板の鋼板であることと、ベース板２０と取付け板３６間の摩擦抵抗が少ないことなどから、施工の際に固定フレーム３１がベース板上を室内側からトイレの後壁側に向かって移動容易で施工性に優位となる。
【００５５】
続いて、この壁掛け便器の実際の使用方法をその作用と共に説明する。使用者は、図３に示す昇降スイッチ８０の上昇ボタン８１を押して便器１０を便器取付けフレーム３０の上方まで上昇させる。これによって、使用者は、局所洗浄便座４０に座る際に極端に屈むことなく腰掛ける感じで楽に座ることができる。そして、使用者は、昇降スイッチ８０の下降ボタン８２を押して便器１０を図３に示す便器取付けフレーム３０の下方まで下げ、用を足した後、再び上昇ボタン８１を押して便器１０を上昇させて便座４０から腰をあまり屈めることなく楽に立ち上がって用足しを終えることができる。このような使用者の一連の動作中、使用者が局所洗浄便座４０に座る際に便器取付けフレーム３０に生じる曲げモーメントに対して床面Ｆの全面をなすベース板２０で受け持つことができるので、局所洗浄便座４０が傾くことなく使用者がトイレを快適に使用することができる。
【００５６】
一方、清掃者がトイレを清掃する際は、便器１０が図１に示すように便器取付けフレーム３０の上方に上昇した状態で便器下方と本実施形態でいう床面Ｆの全部をなすベース板２０との間の清掃を行う。この清掃を行うに際して本実施形態の構造によると、トイレの床面Ｆをなすベース板２０にボルト等の無用な突起物が無いので、便器１０とこの下方のトイレ床面Ｆを楽にかつ素早く清掃することができる。
【００５７】
本実施形態のような壁掛け便器とすることにより、固定フレーム３１を支持するベース板２０がトイレ床面をなすようになるので、壁掛け便器を設置したときにトイレ床面を高くすることなくボルトの頭の突出していない床面とすることができる。その結果、トイレ出入り口の段差をなくすか最小限に抑え、かつ壁掛け便器が本来有する清掃作業の容易性を十分発揮することができる。
【００５８】
なお、上述のベース板の大きさは上述したように必ずしも壁掛け便器が設置されるトイレ室内の床面全体とほぼ同等の大きさを有する必要はなく、床面の一部をなす大きさであっても良い。
【００５９】
続いて、本発明の上述した実施形態の第１変形例について説明する。なお、上述した実施形態と同等の構成については、対応する符号を付して詳細な説明を省略する。この第１変形例に係る壁掛け便器では、便器１０及び便器を固定する便器取付けフレーム３０の構造については上述した実施形態と同様であるが、ベース板が上述した実施形態とは異なっている。
【００６０】
具体的には、この第１変形例に係る壁掛け便器は、図４に示すように、ベース板９１，９２が便器取付けフレーム３０の２本の固定フレーム３１の下端から便器１０の前方に向かってそれぞれ便器１０の若干先まで延在している。このベース板９１，９２は例えば厚さ９ｍｍの鋼板からなり、ベース板９１，９２が嵌り合う細長の切り欠きを有した例えば厚さ９ｍｍのパネル９３と組み合わさってトイレ床面を形成するようになっている。
【００６１】
便器取付けフレーム３０は、図６に示すように、ベース板９１，９２からそれぞれ垂直に立設した２本の固定フレーム３１と、この２本の固定フレーム３１に沿って上下にスライド可能な可動フレーム３２を備えている。可動フレーム３２は、固定フレーム３１に沿ってスライドする２本のスライド部３２ａとこの２本のスライド部３２ａを連結する２本の連結部３２ｂからなる。
【００６２】
また、図５に示すように、固定フレーム３１の下方部分には上述した実施形態と同様のＤＣモータなどのモータ６１が配置され、可動フレーム３２の一部にはこのモータで駆動され伸縮自在に延在する例えばボールネジからなる伸縮シャフト６２の端部が結合されている。そして、トイレの使用者や清掃者がトイレに備わった昇降スイッチを操作することでモータ６１の駆動力を介して可動フレーム３２を固定フレーム３１に対して所定量だけ昇降させるようになっている。
【００６３】
また、固定フレーム３１の上端には、便器取付けフレーム３０をトイレ壁面に固定するためのブラケット３５が便器後方に向かって延在しており、ネジ等の締結具でこれらブラケット３５の端面３５ａをトイレの壁面に押し当て、便器取付けフレーム３０の上端をトイレの壁面にしっかりと固定するようになっている。
【００６４】
固定フレーム３１の下端は、図６に示すように、底部が平坦な鋼板からなり両側部に折れ曲がった立ち上げ部を有する取付け板３６を介してベース板９１，９２にそれぞれに固定されている。
【００６５】
また、図５に示すように、便器１０の汚物排出孔に一端が接続した伸縮自在なテレスコタイプの排水管７０は例えばゴムでできた蛇腹管７１で覆われてその排水管７０の伸縮時に排水管７０から漏れ出る臭気がトイレ内に拡散するのを防止している。
【００６６】
なお、ベース板９１，９２と便器取付けフレーム３０の相互の関係は以下の通りである。ベース板９１，９２は、便器取付けフレーム３０の一部をなす固定フレーム３１の下端に取付け板３６を介してそれぞれ固定されている。この固定にあたっては、図６及び図７に示すようにベース板９１，９２から上向きに突出した図示しないスタットボルトと螺合されるナット３６５〜３６９で、ベース板９１，９２と固定フレーム３１とをしっかり固定するようになっている。ボルト３６１〜３６４は固定フレーム３１及びベース板９１，９２をトイレの躯体に取り付けるボルトで、固定フレーム３１及びベース板９１，９２を貫通して耐水合板２３０あるいは耐水合板２３０と根太２２０に固定されている。
【００６７】
なお、ベース板９１，９２は、上述したように便器１０の若干前方まで延在している。また、便器１０は、便器背面に突設したスタットボルト（図４乃至図６では図示せず）を便器取付けフレーム３０の可動フレーム３２に形成された便器固定穴３２ｄに挿入してナットなどの適当な締結具で固定されるようになっている。
【００６８】
ベース板９１，９２の全長は、ベース板９１のトイレ壁側とベース板９２のトイレ壁側間の距離よりも長くなっている。また、ベース板９１，９２の長さは、ベース板９１，９２から可動フレーム３２の便器固定穴３２ｄまでの高さよりも長くなっている。即ち、便器１０が上昇して可動フレーム３２の便器固定穴３２ｄが上限位置にある場合のこの便器固定穴３２ｄのベース板９１，９２からの高さよりもベース板９１，９２の全長が長くなっている。また、便器取付けフレーム３０がトイレ壁面に取付けられる部分の高さ、即ちベース板９１，９２からブラケット３５の端面３５ａまでの高さはベース板９１，９２の長さとほぼ同等となっている。
【００６９】
上述したように、トイレ床に延出してトイレ床面の一部をなすベース板９１，９２の長さが固定フレーム３１の、便器１０を固定している便器上昇時、下降時、一般時全て位置の高さ寸法より長くなっているので、上述した実施形態と同様の作用効果を生じる。具体的には、固定フレーム３１を支持するベース板９１，９２がトイレ床面の少なくとも一部をなすようになるので、従来のような長さの短い補強フレームをボルトで躯体にしっかりと固定する必要が無くなり、便器使用時に本第１変形例において固定フレーム３１を介してベース板９１，９２に作用する曲げモーメントに対して躯体が有するボルトの引き抜き強度で耐える必要はなく、この壁掛け便器をトイレに容易に設置することができるようになる。
【００７０】
このようなベース板９１，９２がトイレ床面の一部をなすので、従来例の補強フレームをトイレの床に取り付ける場合のような大きいサイズのボルト（締結具）を用いることなく、小さなサイズのボルトを用いて床基礎部に対してずれないように固定すれば良いので、突出部を従来例に比べてかなり小さくすることができる。
【００７１】
図７はこのボルトサイズの小型化を視覚的に理解し易いように示した図面である。同図でボルト３６１〜３６４は固定フレーム３１及びベース板９１，９２をトイレの躯体に取り付けるボルトで、固定フレーム３１及びベース板９１，９２を貫通して耐水合板２３０あるいは耐水合板２３０と根太２２０に固定されている。また、ナット３６５〜３６９は、ベース板９１，９２から上向きに突出したスタットボルトに螺合されるナットで、ベース板９１，９２と固定フレーム３１とをしっかり固定するようになっている。この図からも明らかなように、本発明における壁掛け便器をトイレの躯体に取り付けるボルト３６１〜３６４が小さなサイズのボルトで済むことが明らかである。
【００７２】
これによって、ベース板９１，９２はトイレ床面の一部をなし、ベース板９１，９２とパネル９３とが相補的に組み合わさることで略フラットなトイレ床面Ｆを形成し、便器１０とトイレ床面Ｆとの間の空間の清掃性を上述した実施形態と同様に向上させることができる。このようにベース板９１，９２をトイレ床面Ｆの一部とすることでトイレ床面の補強層を分割することができ、補強層の精度を向上させることができる。具体的には、ベース板９１，９２をこのような床面の一部をなす補強層とすることで、躯体の影響を受けることなくベース板９１，９２の水平度を出し易くなり、これによって便器１０の姿勢を適正に保つことができる。また、トイレ床面の補強層を分割することで補強層一枚あたりの重量が小さくなり、施工が容易になる。
【００７３】
このように、木造住宅や鉄筋コンクリート住宅のトイレに本第１変形例に係る壁掛け便器を設置する場合であっても、ベース板９１，９２がトイレ床面の一部をなすことで、上述の実施形態と同様の作用効果に加えてトイレ床面や壁面の基礎をなす躯体の影響を受けずに便器１０を正しい姿勢でトイレに設置できる。
【００７４】
なお、本変形例においても上述の実施形態と同等の施工上のメリットがある。具体的には、ベース板９１，９２及び取付け板３６が鋼板でかつベース板９１，９２の上面と取付け板３６の底面が平坦面として形成されていることで、ベース板９１，９２と取付け板３６間の摩擦抵抗が少なくなり、取付け板３６のベース板９１，９２上でのスライドが容易で固定フレーム３１のベース板９１，９２上における位置決めがし易くなる。
【００７５】
即ち、ベース板９１，９２が平板の鋼板であることと、ベース板９１，９２と取付け板３６間の摩擦抵抗が少ないことなどから、施工の際に固定フレーム３１がベース板上を室内側からトイレの後壁側に向かって移動容易で施工性に優位となる。
【００７６】
なお、便器取付けフレーム３０の下方で左右の固定フレーム３１をつなぐ固定用連結部Ａの底面が床側排水管上端よりも上方に位置するように固定用連結部Ａを配置してもよい。固定用連結部Ａの底面が床側排水管上端よりも上方に位置することで、床側排水管が耐水合板上面よりも上方に立ち上がって配設されている場合においても、便器取付けフレーム３０全体を持ち上げて連結部Ａに床側排水管を越えさせ、床側排水管とトイレ後壁との間に下ろす必要がなく、便器取付けフレーム３０をベース板上でスライドさせるだけで便器取付けフレーム３０をベース板上の適所に配置して固定することができ、トイレルームへの壁掛け便器の施工性が格段に向上する。
【００７７】
続いて、上述した壁掛け便器の第２変形例について説明する。この第２変形例は、第１変形例とベース板及び固定フレームの下端のベース板への取付け用連結部の形状が異なっているが、それ以外の同一の構成を有している。従って、同等の構成については説明を省略し、異なる構成について詳細に説明する。
【００７８】
図８は、この第２変形例に係る壁掛け便器を耐水合板の下部に備わった根太と共に便器を斜め前方から示す斜視図である。また、図９は、図８に示した壁掛け便器を斜め後方から示す斜視図である。また、図１０は、図８に示した壁掛け便器の２枚のベース板を耐水合板上に配置し、固定ガイド部を介してこれら両者を固定した状態を示す斜視図である。また、図１１は、図８に示した壁掛け便器の便器取付けフレームを示す斜視図である。また、図１２は、図８に示した壁掛け便器をトイレ後壁側から示す背面図である。
【００７９】
この第２変形例に係る壁掛け便器においては、固定フレーム１３１，１３２の各下端にこれらをベース板１９１，１９２にそれぞれ対応して取付ける取付け用連結部１５０が備わっている。なお、取付け用連結部１５０は、一部に大きな切欠き１５１（図１１参照）を有した厚さ約４．５ｍｍの鋼板からなる。
【００８０】
切欠き１５１の開口部１５１ａは壁掛け便器の設置状態でトイレ後壁側に向き、耐水合板２３０に形成されたトイレ床面の排水用開口部２３１を囲むようになっている。すなわち、取付け用連結部１５０の各ベース板間の連結部分１５２は、壁掛け便器の設置状態でトイレ床面の排水用開口部２３１より便器先端側に位置するようになっている。
【００８１】
取付け用連結部１５０から立設した各側板１６０には、ある程度の高さを有するフレーム位置決め固定部１６１，１６２が壁掛け便器の設置状態でトイレ後ろ壁側に向かって延出している。
【００８２】
ベース板１９１，１９２は、上述した第１変形例と同様に厚さ約９ｍｍの細長い矩形状をなす２枚の鋼板からなる。そして、一方のベース板１９１には、上述した第１変形例に係るベース板と異なり、固定フレームの一方のフレーム位置決め固定部１６１をガイドして固定する端面視Ｌ型のガイド固定部１８１が備わっている。
【００８３】
また、他方のベース板１９２にも上述した第１変形例に係るベース板と異なり、他方のフレーム位置決め固定部１６２をガイドして固定するガイド固定部１８２が備わっているが、このガイド固定部１８２は、上述した一方のベース板１９１に備わるガイド固定部１８１と異なり端面視角型Ｕ字状をなしている。
【００８４】
これらのガイド固定部１８１，１８２は、各ベース板１９１，１９２をトイレの床基礎部をなす耐水合板２３０の適所に位置決め固定した後、固定フレーム下端の取付け用連結部１５０をベース板上でスライドさせながら所定の取付け位置まで案内してボルト等の締結具を介して固定フレーム１３１，１３２をベース板１９１，１９２に固定する役目を果たしている。
【００８５】
なお、本変形例においても上述の実施形態と同等の施工上のメリットがある。具体的には、ベース板１９１，１９２及び取付け用連結部１５０が鋼板でかつベース板１９１，１９２の上面と取付け用連結部１５０の底面が平坦面として形成されていることで、摩擦抵抗が少なく取付け用連結部１５０のベース板１９１，１９２上でのスライドが容易で位置決めがし易くなる。
【００８６】
即ち、ベース板１９１，１９２が平板の鋼板であることと、ベース板１９１，１９２と取付け用連結部１５０の摩擦抵抗が少ないことなどから、施工の際に固定フレーム１３１，１３２がベース板上を室内側からトイレの後壁側に向かって移動容易で施工性が優位となる。
【００８７】
続いて、上述した第２変形例に係る壁掛け式便器の特徴的な作用を十分に発揮することができるこの壁掛け式便器の施工方法について説明する。
【００８８】
最初に、根太の上に厚さ１２ｍｍの耐水合板２３０をひく。これによって、耐水ベース板１９１，１９２を面で支える。即ち、便器取付けフレーム１３０にかかる回転モーメントをベース板１９１，１９２の面全体で支えることができる。
【００８９】
次いで、耐水合板２３０の排水管７０が通る部分を切りとる。これによって、排水管７０を耐水合板２３０に挿通させることができる。次いで、排水管７０及び蛇腹管７１を設置する。
【００９０】
次いで、ベース板１９１，１９２を耐水合板２３０の上に設置し、ガイド固定部１８１，１８２とともにベース板１９１，１９２を、耐水合板２３０あるいは耐水合板２３０と根太２２０にボルトでとめる。この際、２枚のベース板１９１，１９２のトイレ後壁側が耐水合板２３０に形成されたトイレ床面の排水用開口部２３１をはさむような形で配置する。
【００９１】
便器使用時にボルトを引き抜く方向にかかる回転モーメントはベース板１９１，１９２で支えるため、使用するボルトはベース板１９１，１９２が水平方向にずれるのを防ぐためのボルトとなり、小さなボルトですむ。
【００９２】
なお、ガイド固定部１８１はベース板１９１に溶接されると共に、ガイド固定部１８２はベース板１９２に溶接されている。このように溶接する理由は、ベース板１９１（１９２）とガイド固定部１８１（１８２）を一体化して強度を増すためである。即ち、便器使用時にかかる回転モーメントをガイド固定部１８１，１８２で受けずにベース板１９１，１９２で受けるようにするためである。
【００９３】
なお、固定に用いるボルトはスクリューボルトでも、ハンガーボルトとナットの組み合わせでもよい。ハンガーボルトを用いる場合には、ベース板１９１，１９２，ガイド固定部１８１，１８２を耐水合板２３０の上に設置し、ベース板１９１，１９２とガイド固定部１８１，１８２を貫通した状態でハンガーボルトを耐水合板２３０に、あるいは耐水合板２３０と根太２２０にとめる。次いで、ガイド固定部１８１より突出したハンガーボルトにナットを螺合させ、工具で締めつけてベース板１９１，１９２およびガイド固定部１８１，１８２を耐水合板２３０に固定する。
【００９４】
次いで、パネル１９３（図１２参照）をベース板１９１，１９２のまわりに敷く。これによって、ベース板１９１，１９２とパネル１９３を面一にし、トイレブース内の段差をなくすことができる。
【００９５】
このようにベース板１９１，１９２とパネル１９３を面一にする理由は、以下の通りである。
【００９６】
施工時に電線の誤接続等を防ぐ為、また、施工の手間を少なくする為、施工業者に可動部を固定部に取付けさせたり、モータとコントローラボックス（図示せず）の配線等をさせることは避けたい。そのためには、可動部やモータやハーネス、図示しないコントローラボックス等を便器取付けフレーム１３０に設置して配線を済ませた状態で出荷する必要がある為、便器取付けフレーム１３０の重量が４０〜５０ｋｇとなってしまう。
【００９７】
狭いトイレブースの中で重い便器取付けフレーム１３０を持ち上げて設置するのは困難であるが、ベース板１９１，１９２とパネル１９３を面一にすることで（つまり、ベース板１９１，１９２をトイレ床面の一部とすることで）便器取付けフレーム１３０をトイレブース入り口から設置位置までスライドさせることができ、容易に施工できる。また、この変形例では、設置位置までスライドさせる際、住宅側排水管が立ち上がっている場合でも固定フレーム下端の取付け用連結部１５０が住宅側排水管を乗り越える必要がなく、重い便器取付フレーム１３０を持ち上げずにすみ、容易に施工できる。
【００９８】
また、パネル１９３を敷いてトイレブース内を面一にしておくことで、トイレブース内で、パネル１９３とベース板１９１，１９２の上に置いたまま便器取付けフレーム１３０を方向転換させることも容易である。その為、便器取付けフレーム１３０をトイレブースに搬入する際の向きを壁掛け便器の製造メーカーが指定する必要がなく、また、施工業者も前記搬入時の向きを考えずに済み、施工が容易となる。
【００９９】
次いで、便器取付けフレーム１３０を設置する。便器取付けフレーム１３０とガイド固定部１８１，１８２を側面からボルトで留める。
【０１００】
便器取付けフレーム１３０を所定の位置に配置した時、トイレブースの横壁と側板１６０の間が狭くなる。そのため、固定フレーム１３１，１３２をガイド固定部１８１，１８２に取り付けるボルトを垂直に取り付けた場合、ボルトを締めるべく水平方向にレンチ等の工具を動かすことが困難である。その為、垂直方向に工具を動かしてボルトを締められるよう、固定フレーム１３１，１３２をガイド固定部１８１，１８２に取り付けるボルトは水平方向に取り付けられている。
【０１０１】
次いで、化粧板を便器取付けフレーム１３０の手前まで敷く。便器取付けフレーム１３０を設置後に化粧板を敷くことで、便器取付けフレーム１３０をスライドさせたときでも化粧板（に傷を付けずに済む。また、キャビネットを置く前に化粧板を敷くことで、化粧板がキャビネットの内側（便器取付けフレームの手前）まで敷くことができるため、化粧板の端が便器側から見えることがなく、外観に優れる。
【０１０２】
次いで、キャビネットを置くと共に便器１０を設置することで、壁掛け便器のトイレ内への施工を完了する。
【０１０３】
なお、便器１０を可動フレーム３２へ固定する方法は上述した実施形態の第１変形例と同じ方法でもよいし、図１５のように便器取付けフレーム３０の可動フレーム３２に突設したスタットボルト３２ｓを、図１６のように便器１０の後方に形成された固定穴１０ｈに挿入してナットなどの適当な締結具で固定する方法でもよい。
【０１０４】
以上説明したように、上述した実施形態の第１変形例における壁掛け便器の場合、床側排水管がベース板の上面よりも上方に立ち上がっていると、便器取付けフレーム全体を持ち上げて固定フレーム下端に備わった固定用連結部を浮かせて床側排水管を越えさせ、床側排水管とトイレ後壁との間に下ろす必要があるが、便器取付けフレームが重いためこれを持ち上げて床側排水管を越えさせるのはかなりきつい作業となる。
【０１０５】
しかしながら、本変形例に係る壁掛け便器によると、固定フレーム下端に備わった固定用連結部の切欠きが壁掛け便器の設置状態で床側排水管を囲いかつトイレ後壁側に向かって開口しているので、壁掛け便器のトイレの設置状態において固定用連結部のベース板間の連結部分がトイレ床面の排水用開口部よりも便器前方側に位置するようになる。そのため、上述したように床側排水管が上面よりも上方に立ち上がっていても便器取付けフレーム自体を持ち上げて固定用連結部のベース部間の連結部分が床側排水管を越える作業を行うことなく固定フレーム下端の固定用連結部をベース板上にスライドさせるだけで固定フレームをベース板上の適所に配置して固定することができる。そのため、トイレルームへの壁掛け便器の施工性が格段に向上する。
【０１０６】
以上説明した実施形態及び第１、第２変形例に係る壁掛け便器においては、昇降式壁掛け便器を用いて紹介したが、このような昇降式壁掛け便器ではなくフレームの所定の高さに便器が固定設置され、便器底部と床面との間に一定の清掃用空間が確保された固定式壁掛け便器であっても本発明の上述した作用を十分発揮することは言うまでもない。
【０１０７】
しかしながら、昇降式壁掛け便器の場合、ベース板が床面の一部又は全部をなすので、ベース板を基準としてフレーム及び便器が正しい姿勢でトイレ床面に設置されるようになり、便器を昇降させた時の最適な状態で昇降を行うことができ、トイレ使用者に快適な使用感を与えることができる。
【０１０８】
以上の説明から明らかなように、ベース板はその上面全体に仕上げ面をなす化粧板等が貼られていれば上述した実施形態のようにトイレ床面の全体をなしていても良く、また上述した第１及び第２変形例のようにトイレ床面の一部をなしていても良い。
【０１０９】
また、ベース板と便器取付けフレームを分けることで、ベース板単体、便器取付けフレーム単体で持ち運びができるので施工性が向上する。また、流通過程において運送し易くなる。
【０１１０】
また、ベース板を２枚に分割することで、重量を軽くすることができ、施工し易くなる。
【０１１１】
また、フレーム位置決め固定部を有することで、フレーム位置決め固定部の一端がフレームを引っ掛ける形状になっているため、ベース板とフレームが別体であっても、使用時に便器にかかる回転モーメントが、便器、フレーム、フレーム位置決め固定部、ベース板の順に伝わり、ベース板の面前体で回転モーメントを受けることができる。
【０１１２】
なお、上述の各実施形態と異なり、ベース板１９５は図１３に示すように１枚板であっても良い。ベース板２枚と比較して部材が少ないため施工が簡単になる。
【０１１３】
また、図１４に示すようにベース板１９６と固定フレーム１３１，１３２が一体であっても良い。これによって、部材が少ないため施工が簡単になる。
【０１１４】
また、上述したいずれのベース板の一部が垂直方向に曲げられ、垂直部分がトイレブースの幅木を成していてもよい。このようにベース板が垂直部分をもつことで、ベース板の強度が向上し、トイレ使用時に局所洗浄装置が傾くことがなく、使用者がトイレを快適に使用することができ、なおかつ垂直部分を幅木とすることで、使用者にベース板の存在を感じさせず、すっきりとしたトイレ空間を提供することができる。また、ベース板の強度が向上するため、ベース板の厚みを低減でき、ベース板の軽量化による施工性の向上やコストダウンが可能である。なお、ベース板に対して垂直方向になるよう板金部材を溶接あるいはねじ止めし、幅木としても同様の効果がある。
【図面の簡単な説明】
【０１１５】
【図１】本発明の一実施形態に係る壁掛け便器を示す全体斜視図である。
【図２】図１に示した壁掛け便器が適用されるトイレの床面の構造を一部示す斜視図である。
【図３】図１に示した壁掛け便器をトイレブース全体と共に示す側面図である。
【図４】図１に示した壁掛け便器における第１変形例を示す斜視図である。
【図５】図４に示した第１変形例を斜め後方から見た斜視図である。である。
【図６】図４に示した第１変形例のベース板とフレームの関係の一例を示す斜視図である。
【図７】図４に示した第１変形例のフレームとベース板のトイレ躯体への取付け構造を示す部分的斜視図である。
【図８】本実施形態の第２変形例に係る壁掛け便器を耐水合板の下部に備わった根太と共に便器を斜め前方から示す斜視図である。
【図９】図８に示した壁掛け便器を斜め後方から示す斜視図である。
【図１０】図８に示した壁掛け便器の２枚のベース板を耐水合板上に配置し、固定ガイド部を介してこれら両者を固定した状態を示す斜視図である。
【図１１】図８に示した壁掛け便器の便器取付けフレームを示す斜視図である。
【図１２】図８に示した壁掛け便器をトイレ後壁側から示す背面図である。
【図１３】本発明の別の変形例に係る壁掛け便器を示す全体斜視図である。
【図１４】本発明の更に別の変形例に係る壁掛け便器を示す全体斜視図である。
【図１５】本発明の更に別の変形例に係る便器取付けフレームを示す斜視図である。
【図１６】本発明の更に別の変形例に係る便器を示す斜視図である。
【符号の説明】
【０１１６】
１    壁掛け便器
１０    便器
１０ｈ    固定穴
１１    便器底部
１２    便器上面
１３    便器背面
１４    スタッドボルト
１５    汚物排出孔
２０    ベース板
３０    便器取付けフレーム
３１    固定フレーム
３２    可動フレーム
３２ａ    スライド部
３２ｂ    連結部
３２ｃ    載置部
３２ｄ    便器固定穴
３２ｓ    スタットボルト
３５    ブラケット
３５ａ    端面
３６    取付け板
４０    （局所洗浄）便座
５０    ロータンク
６１    モータ
６２    伸縮シャフト
７０    排水管
７１    蛇腹管
８０    昇降スイッチ
８１    上昇ボタン
８２    下降ボタン
９１，９２    ベース板
９３    パネル
１３０    便器取付けフレーム
１３１，１３２    固定フレーム
１５０    取付け用連結部
１５１    切欠き
１５１ａ    開口部
１５２    連結部分
１６０    側板
１６１，１６２    フレーム位置決め固定部
１８１，１８２    ガイド固定部
１９１，１９２    ベース板
１９３    パネル
１９５，１９６    ベース板
２００    床基礎部
２１０    大引き
２２０    根太
２３０    耐水合板
２３１    トイレ床面の排水用開口部
３６１〜３６４    ボルト
３６５〜３６９    ナット
Ｆ    トイレ床面
【図１】
2008267128.tif 000003
【図２】
2008267128.tif 000004
【図３】
2008267128.tif 000005
【図４】
2008267128.tif 000006
【図５】
2008267128.tif 000007
【図６】
2008267128.tif 000008
【図７】
2008267128.tif 000009
【図８】
2008267128.tif 000010
【図９】
2008267128.tif 000011
【図１０】
2008267128.tif 000012
【図１１】
2008267128.tif 000013
【図１２】
2008267128.tif 000014
【図１３】
2008267128.tif 000015
【図１４】
2008267128.tif 000016
【図１５】
2008267128.tif 000017
【図１６】
2008267128.tif 000018